(57)【要約】【課題】表示情報を表示部に表示させる際に、そのときの状況に応じて適切な３Ｄ深度での表示制御を実現できるようにする。【解決手段】中央制御部１１は、表示情報を表示部１７に３Ｄ表示させる際に、その表示サイズに基づいて、表示部１７に表示される表示情報の３Ｄ深度を決定し、この３Ｄ深度で表示情報を３Ｄ表示させる。例えば、表示部１７に表示される表示情報の表示サイズが大きいほど、３Ｄ深度の大きい表示情報を表示させたり、表示情報の表示サイズに基づいて適切に３Ｄ表示か２Ｄ表示かを決定して表示制御させたりする。【選択図】  図２
2010183154.tif 000002
【特許請求の範囲】
【請求項１】
表示情報を表示部に３Ｄ表示させる端末装置であって、
前記表示情報を表示部で表示する際の表示サイズを検出する表示サイズ検出手段と、
この検出手段によって検出された表示サイズに基づいて、前記表示部に表示される表示情報の３Ｄ深度を決定する決定手段と、
この決定手段によって決定された３Ｄ深度で前記表示情報を表示部に表示させる表示制御手段と、
を具備したことを特徴とする端末装置。
【請求項２】
前記決定手段は、前記検出手段によって検出された表示サイズが所定の表示サイズよりも大きい場合に、３D深度を所定の３Ｄ深度よりも大きい３Ｄ深度に決定する、
ようにしたことを特徴とする請求項１記載の端末装置。
【請求項３】
前記決定手段は、前記検出手段によって検出された表示サイズに基づいて、前記表示部に表示される表示情報の３Ｄ深度をゼロにするか否かを決定し、
前記表示制御手段は、前記決定手段によって３Ｄ深度をゼロにすると決定された場合に、３Ｄ深度ゼロで表示情報を表示部に２Ｄ表示させる、
ようにしたことを特徴とする請求項１記載の端末装置。
【請求項４】
前記決定手段は、前記検出手段によって検出された表示サイズが所定の表示サイズよりも小さい場合に、３Ｄ深度をゼロに決定する、
ようにしたことを特徴とする請求項３記載の端末装置。
【請求項５】
前記検出手段は、前記表示部に表示される表示情報のサイズ及び表示部の表示領域のサイズに基づいて、当該表示情報の表示サイズを検出する、
ようにしたことを特徴とする請求項１記載の端末装置。
【請求項６】
前記表示部に表示されている表示情報の表示サイズが変更されたことを検出する変更検出手段を更に備え、
前記決定手段は、前記変更検出手段によって表示サイズが変更されたことが検出された場合に、変更後の表示サイズに基づいて表示情報の３Ｄ深度を決定し、
前記表示制御手段は、前記表示部に表示されている表示情報の３Ｄ深度を、前記決定手段によって決定された３Ｄ深度に切り替えて表示させる、
ようにしたことを特徴とする請求項１記載の端末装置。
【請求項７】
前記表示情報を、前記決定手段によって決定された３Ｄ深度の３Ｄ表示情報に変換する変換手段を更に備え、
前記表示制御手段は、前記変換手段によって変換された３Ｄ表示情報を表示部に表示させる、
ようにしたことを特徴とする請求項１記載の端末装置。
【請求項８】
前記３Ｄ深度が異なる複数の表示情報の中から、前記決定手段によって決定された３Ｄ深度の表示情報を選択する選択手段を更に備え、
前記表示制御手段は、前記選択手段によって選択された表示情報を表示部に表示させる、
ようにしたことを特徴とする請求項１記載の端末装置。
【請求項９】
表示情報を表示部に３Ｄ表示させる端末装置であって、
動作用電力の使用状況を検出する電力状況検出手段と、
前記電力状況検出手段によって検出された動作用電力の使用状況に基づいて、前記表示部に表示される表示情報の３Ｄ深度を決定する決定手段と、
この決定手段によって決定された３Ｄ深度で前記表示情報を表示部に表示させる表示制御手段と、
を具備したことを特徴とする端末装置。
【請求項１０】
前記電力状況検出手段は、動作用電力の残量を検出し、
前記決定手段は、前記電力状況検出手段によって検出された動作用電力の残量に基づいて、前記表示部に表示される表示情報の３Ｄ深度を決定する、
ようにしたことを特徴とする請求項９記載の端末装置。
【請求項１１】
前記決定手段は、前記電力状況検出手段によって検出された動作用電力の残量が所定の残量より少ない場合には、３Ｄ深度を所定の３Ｄ深度よりも小さい３Ｄ深度に決定する、
ようにしたことを特徴とする請求項１０記載の端末装置。
【請求項１２】
前記決定手段は、前記電力状況検出手段によって検出された動作用電力の残量が所定の残量より少ない場合に、３Ｄ深度をゼロに決定し、
前記表示制御手段は、前記決定手段によって３Ｄ深度をゼロにすると決定された場合に、３Ｄ深度ゼロで表示情報を表示部に２Ｄ表示させる、
ようにしたことを特徴とする請求項１０記載の端末装置。
【請求項１３】
前記電力状況検出手段は、消費電力を抑制する動作モードに設定されているか否かを検出し、
前記決定手段は、前記電力状況検出手段の検出結果に基づいて、前記表示部に表示される表示情報の３Ｄ深度を決定する、
ようにしたことを特徴とする請求項９記載の端末装置。
【請求項１４】
前記決定手段は、前記電力状況検出手段によって消費電力を抑制する動作モードに設定されていることが検出された場合に、３Ｄ深度を所定の３Ｄ深度よりも小さい３Ｄ深度に決定する、
ようにしたことを特徴とする請求項１３記載の端末装置。
【請求項１５】
前記決定手段は、前記電力状況検出手段によって消費電力を抑制する動作モードに設定されている場合に、３Ｄ深度をゼロに決定し、
前記表示制御手段は、前記決定手段によって３Ｄ深度をゼロにすると決定された場合に、３Ｄ深度ゼロで表示情報を表示部に２Ｄ表示させる、
ようにしたことを特徴とする請求項１３記載の端末装置。
【請求項１６】
コンピュータに対して、
表示情報を表示部で３Ｄ表示する際の表示サイズを検出する機能と、
前記検出された表示サイズに基づいて、前記表示部に表示される表示情報の３Ｄ深度を決定する機能と、
前記決定された３Ｄ深度で前記表示情報を表示部に表示する機能と、
を実現させるためのプログラム。
【請求項１７】
コンピュータに対して、
動作用電力の使用状況を検出する機能と、
前記検出された動作用電力の使用状況に基づいて、表示部に表示される表示情報の３Ｄ深度を決定する機能と、
前記決定された３Ｄ深度で前記表示情報を表示部に表示する機能と、
を実現させるためのプログラム。
【発明の詳細な説明】
【技術分野】
【０００１】
この発明は、表示情報を表示部に３Ｄ表示させる端末装置及びプログラムに関する。
【背景技術】
【０００２】
従来、平面状の表示部に画像（静止画、動画）、テキスト、メニューなどの表示情報を３Ｄ（三次元）表示する技術としては、各種の技術があり、例えば、２Ｄ（二次元）表示情報の中のオブジェクトに立体に見えるような視覚効果を施して、オブジェクトを立体に見せる技術がある。なお、ポリゴンを利用した技術はこの技術の一例である。また、ユーザの右目と左目の視差を利用した技術もある。すなわち、互いに少しずらした右目用の表示情報と左目用の表示情報を用意し、それら２つの表示情報を同時に表示させるが、その際、右目用の表示情報は右目で見えて左目では見えないように、左目用の表示情報は左目で見えて右目では見えないようにするために光の経路を遮断する視差バリアを適切な位置に配置することによって表示情報を立体に見せるようにした技術である。
【０００３】
上述したいずれの３Ｄ表示技術においても、３Ｄの奥行きや飛び出しの程度を示す３Ｄ深度というパラメータがあり、この３Ｄ深度が大きいほど、ユーザには表示情報がより深く、あるいはより飛び出して見えることになる。反対に３Ｄ深度が小さいほど、表示情報が浅く見える、あるいはあまり飛び出して見えないことになり、３Ｄ深度がゼロでは、２Ｄに見える（すなわち２Ｄ表示する）ということになる。
【０００４】
ところで、表示部に所定の３Ｄ深度の表示情報を３Ｄ表示させる場合（３Ｄ深度ゼロの２Ｄ表示を含んでもよい）には、同じ内容の表示情報について、様々な３Ｄ深度の複数の表示情報を用意し、それら複数の表示情報の中から所定の３Ｄ深度の表示情報を選択して３Ｄ表示する方法や、２Ｄ表示情報を所定の３Ｄ深度の表示情報に変換して、変換された表示情報を３Ｄ表示する方法などがあるが、３Ｄ表示は一般的に小さい表示サイズでは見にくいという欠点があり、また変換する方法では、変換処理に電力を消費してしまうという欠点もある。
そこで、従来では、ユーザ操作で３Ｄの深度を切り替えることを可能とした技術として、例えば、ユーザ操作で立体視の奥行きを変化させたり、立体視と平面視を切り換えたりする技術が開示されている（特許文献１参照）。
【先行技術文献】
【特許文献】
【０００５】
【特許文献１】特開２００７−０３７６１９号公報
【発明の概要】
【発明が解決しようとする課題】
【０００６】
しかしながら、上述した先行技術にあっては、ユーザが状況に応じて、その度ごとにユーザ操作で適切な３Ｄ深度を切り替えるようにしているが、ユーザ操作による切り替えは煩雑である。
【０００７】
この発明の課題は、表示情報を表示部に表示させる際に、そのときの状況に応じて適切な３Ｄ深度での表示制御を実現できるようにすることである。
【課題を解決するための手段】
【０００８】
上述した課題を解決するために請求項１記載の発明は、表示情報を表示部に３Ｄ表示させる端末装置であって、前記表示情報を表示部で表示する際の表示サイズを検出する表示サイズ検出手段と、この検出手段によって検出された表示サイズに基づいて、前記表示部に表示される表示情報の３Ｄ深度を決定する決定手段と、この決定手段によって決定された３Ｄ深度で前記表示情報を表示部に表示させる表示制御手段と、を具備したことを特徴とする。
【０００９】
請求項１に従属する発明として、前記決定手段は、前記検出手段によって検出された表示サイズが所定の表示サイズよりも大きい場合に、３D深度を所定の３Ｄ深度よりも大きい３Ｄ深度に決定する、ようにしたことを特徴とする請求項２記載の発明であってもよい。
【００１０】
請求項１に従属する発明として、前記決定手段は、前記検出手段によって検出された表示サイズに基づいて、前記表示部に表示される表示情報の３Ｄ深度をゼロにするか否かを決定し、前記表示制御手段は、前記決定手段によって３Ｄ深度をゼロにすると決定された場合に、３Ｄ深度ゼロで表示情報を表示部に２Ｄ表示させる、ようにしたことを特徴とする請求項３記載の発明であってもよい。
【００１１】
請求項３に従属する発明として、前記決定手段は、前記検出手段によって検出された表示サイズが所定の表示サイズよりも小さい場合に、３Ｄ深度をゼロに決定する、ようにしたことを特徴とする請求項４記載の発明であってもよい。
【００１２】
請求項１に従属する発明として、前記検出手段は、前記表示部に表示される表示情報のサイズ及び表示部の表示領域のサイズに基づいて、当該表示情報の表示サイズを検出する、ようにしたことを特徴とする請求項５記載の発明であってもよい。
【００１３】
請求項１に従属する発明として、前記表示部に表示されている表示情報の表示サイズが変更されたことを検出する変更検出手段を更に備え、前記決定手段は、前記変更検出手段によって表示サイズが変更されたことが検出された場合に、変更後の表示サイズに基づいて表示情報の３Ｄ深度を決定し、前記表示制御手段は、前記表示部に表示されている表示情報の３Ｄ深度を、前記決定手段によって決定された３Ｄ深度に切り替えて表示させる、ようにしたことを特徴とする請求項６記載の発明であってもよい。
【００１４】
請求項１に従属する発明として、前記表示情報を、前記決定手段によって決定された３Ｄ深度の３Ｄ表示情報に変換する変換手段を更に備え、前記表示制御手段は、前記変換手段によって変換された３Ｄ表示情報を表示部に表示させる、ようにしたことを特徴とする請求項７記載の発明であってもよい。
【００１５】
請求項１に従属する発明として、前記３Ｄ深度が異なる複数の表示情報の中から、前記決定手段によって決定された３Ｄ深度の表示情報を選択する選択手段を更に備え、前記表示制御手段は、前記選択手段によって選択された表示情報を表示部に表示させる、ようにしたことを特徴とする請求項８記載の発明であってもよい。
【００１６】
また、上述した課題を解決するために請求項９記載の発明は、表示情報を表示部に３Ｄ表示させる端末装置であって、動作用電力の使用状況を検出する電力状況検出手段と、前記電力状況検出手段によって検出された動作用電力の使用状況に基づいて、前記表示部に表示される表示情報の３Ｄ深度を決定する決定手段と、この決定手段によって決定された３Ｄ深度で前記表示情報を表示部に表示させる表示制御手段と、を具備したことを特徴とする。
【００１７】
請求項９に従属する発明として、前記電力状況検出手段は、動作用電力の残量を検出し、前記決定手段は、前記電力状況検出手段によって検出された動作用電力の残量に基づいて、前記表示部に表示される表示情報の３Ｄ深度を決定する、ようにしたことを特徴とする請求項１０記載の発明であってもよい。
【００１８】
請求項１０に従属する発明として、前記決定手段は、前記電力状況検出手段によって検出された動作用電力の残量が所定の残量より少ない場合には、３Ｄ深度を所定の３Ｄ深度よりも小さい３Ｄ深度に決定する、ようにしたことを特徴とする請求項１１記載の発明であってもよい。
【００１９】
請求項１０に従属する発明として、前記決定手段は、前記電力状況検出手段によって検出された動作用電力の残量が所定の残量より少ない場合に、３Ｄ深度をゼロに決定し、前記表示制御手段は、前記決定手段によって３Ｄ深度をゼロにすると決定された場合に、３Ｄ深度ゼロで表示情報を表示部に２Ｄ表示させる、ようにしたことを特徴とする請求項１２記載の発明であってもよい。
【００２０】
請求項９に従属する発明として、前記電力状況検出手段は、消費電力を抑制する動作モードに設定されているか否かを検出し、前記決定手段は、前記電力状況検出手段の検出結果に基づいて、前記表示部に表示される表示情報の３Ｄ深度を決定する、ようにしたことを特徴とする請求項１３記載の発明であってもよい。
【００２１】
請求項１３に従属する発明として、前記決定手段は、前記電力状況検出手段によって消費電力を抑制する動作モードに設定されていることが検出された場合に、３Ｄ深度を所定の３Ｄ深度よりも小さい３Ｄ深度に決定する、ようにしたことを特徴とする請求項１４記載の発明であってもよい。
【００２２】
請求項１３に従属する発明として、前記決定手段は、前記電力状況検出手段によって消費電力を抑制する動作モードに設定されている場合に、３Ｄ深度をゼロに決定し、前記表示制御手段は、前記決定手段によって３Ｄ深度をゼロにすると決定された場合に、３Ｄ深度ゼロで表示情報を表示部に２Ｄ表示させる、ようにしたことを特徴とする請求項１５記載の発明であってもよい。
【００２３】
また、上述した課題を解決するために請求項１６記載の発明は、コンピュータに対して、表示情報を表示部で３Ｄ表示する際の表示サイズを検出する機能と、前記検出された表示サイズに基づいて、前記表示部に表示される表示情報の３Ｄ深度を決定する機能と、前記決定された３Ｄ深度で前記表示情報を表示部に表示する機能と、を実現させるためのプログラムを特徴とする。
【００２４】
また、上述した課題を解決するために請求項１７記載の発明は、コンピュータに対して、動作用電力の使用状況を検出する機能と、前記検出された動作用電力の使用状況に基づいて、表示部に表示される表示情報の３Ｄ深度を決定する機能と、前記決定された３Ｄ深度で前記表示情報を表示部に表示する機能と、を実現させるためのプログラムを特徴とする。
【発明の効果】
【００２５】
この発明によれば、表示情報を表示部に表示させる際に、そのときの状況に応じて適切な３Ｄ深度での表示制御を実現することができ、実用効果の高いものとなる。
【図面の簡単な説明】
【００２６】
【図１】端末装置として適用した携帯電話機が利用可能な通信ネットワークシステムを示したブロック図である。
【図２】携帯電話機１の基本的な構成要素を示したブロック図。
【図３】携帯電話機１の外観図で、（１）は、操作部筐体１Ａと表示部筐体１Ｂとの折り畳みを開いた状態のオープンスタイルを示し、（２）は、オープンスタイルにおいて表示部筐体１Ｂを１８０度反転させてから折り畳んだ状態のビュースタイルを示した図。
【図４】本実施形態における省電力モード記憶部Ｍ３を説明するための図。
【図５】本実施形態における条件記憶部Ｍ４を説明するための図。
【図６】本実施形態の変形例としての条件記憶部Ｍ４を説明するための図。
【図７】本実施形態における表示情報記憶部Ｍ５を説明するための図。
【図８】電源投入に伴って実行開始される携帯電話機１側の全体動作の概要を示したフローチャート。
【図９】表示情報決定処理（図８のステップＡ６）を詳述するためのフローチャート。
【図１０】３Ｄ深度決定処理Ａ（図８のステップＡ７）を詳述するためのフローチャート。
【図１１】表示制御処理（図８のステップＡ８）を詳述するためのフローチャート。
【図１２】表示情報決定処理Ｂ（図８のステップＡ１０）を詳述するためのフローチャート。
【図１３】３Ｄ深度決定処理Ｂ（図８のステップＡ１１）を詳述するためのフローチャート。
【図１４】３Ｄ深度決定処理Ｃ（図８のステップＡ１６）を詳述するためのフローチャート。
【図１５】３Ｄ深度決定処理Ｄ（図８のステップＡ１８）を詳述するためのフローチャート。
【発明を実施するための形態】
【００２７】
以下、図１〜図１５を参照して本発明の実施形態を説明する。
本実施形態は、端末装置として携帯電話機に適用した場合を例示したもので、図１は、この携帯電話機が利用可能な通信ネットワークシステムを示したブロック図である。
携帯電話機１には、通話機能、電子メール機能、インターネット接続機能（Ｗｅｂアクセス機能）のほか、デジタルテレビ放送（例えば、ワンセグ地上デジタルテレビ放送）を受信可能なテレビ放送受信機能、３Ｄ表示機能などが備えられている。この３Ｄ表示機能は、左右の目の視差を利用した視差バリア方式によって、動画、静止画、テキスト、メニューなどの表示情報を３Ｄの奥行きあるいは飛び出しの程度を示す３Ｄ深度で表示させる機能である。
【００２８】
携帯電話機１は、最寄りの基地局２Ａ、交換機２Ｂから無線通信網（移動体通信網）２に接続されると、この無線通信網２を介して他の携帯電話機（図示省略）との間で通話可能な状態となる。また、携帯電話機１は、無線通信網２を介してインターネット３に接続されると、Ｗｅｂサイトをアクセスして閲覧可能となり、また、情報配信装置４から動画、静止画、音楽、ニュースなどの情報をインターネット３、無線通信網２を介してダウンロード可能となる。また、携帯電話機１は、テレビ局５から送信アンテナ６を介して発信された地上波デジタル放送を受信するようにしているが、インターネットラジオのように無線通信網２、インターネット３を介して情報配信装置４からデジタル放送をダウンロード受信することもできる。
【００２９】
図２は、携帯電話機１の基本的な構成要素を示したブロック図である。
中央制御部１１は、二次電池（図示省略）を備えた電池部１２からの電力供給によって動作し、記憶部１３内の各種のプログラムに応じてこの携帯電話機１の全体動作を制御する中央演算処理装置やメモリ（図示省略）などを有している。この電池部１２は、二次電池の残量を検出する検出部（図示省略）を含んでいる。記憶部１３には、プログラム記憶部Ｍ１、各種情報一時記憶部Ｍ２、省電力モード記憶部Ｍ３、条件記憶部Ｍ４、表示情報記憶部Ｍ５などが設けられている。プログラム記憶部Ｍ１は、図８〜図１５に示した動作手順に応じて本実施形態を実現するためのプログラムや各種のアプリケーションなどが格納されているほか、それに必要とする情報などが記憶されている。各種情報一時記憶部Ｍ２は、フラグ情報、タイマ情報、画面情報など、携帯電話機１が動作するために必要な各種の情報を一時的に記憶するワーク領域である。なお、省電力モード記憶部Ｍ３、条件記憶部Ｍ４、表示情報記憶部Ｍ５については後で詳述するものとする。
【００３０】
無線通信部１４は、図示しない無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調したのち、音声信号処理部１５を介して通話用スピーカＳＰから音声出力させ、また、通話用マイクＭＣからの入力音声データを音声信号処理部１５から取り込み、送信ベースバンド信号に符号化したのち、ベースバンド部の送信側に与えてアンテナから発信出力させる。
【００３１】
テレビ放送受信部１６は、端末装置向けのワンセグ地上波デジタルテレビ放送のほか、電子番組表（ＥＰＧ）などの番組情報も含めて受信可能となっている。このテレビ放送受信部１６は、放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。表示部１７は、高精細液晶を使用し、例えば、文字情報、待受画像、テレビ映像などの表示情報を表示させるもので、この表示部１７の表示画面（表示領域）は、矩形（長方形）を成し、その表示画面の表面には、視差バリアを生成するための液晶の層が設けられている。
【００３２】
３Ｄ変換処理部１８は、３Ｄ表示時に３Ｄ深度に応じた右目用の表示情報と左目用の表示情報を生成するもので、視差バリア制御部１９は、３Ｄ表示時に３Ｄ変換処理部１８によって生成された右目用の表示情報と左目用の表示情報が表示部１７に同時に表示されている状態において、正しく３Ｄ表示が見えるように視差バリアを表示部１７の表層に生成する。操作部２０は、ダイヤル入力、文字入力、コマンド入力などを入力するもので、中央制御部１１は、この操作部２０からの入力操作信号に応じた処理を実行する。ＲＴＣ（リアルタイムクロックモジュール）２１は、時計部を構成するもので、中央制御部１１は、ＲＴＣ２１から現在日時を取得する。報知部２２は、サウンドスピーカ２３、ＬＥＤ（発光ダイオード）２４、振動モータ２５を備え、着信時に駆動されて着信報知を行うほか、アラーム報知時などでも駆動される。
【００３３】
表示部方向検出部２６は、例えば、３軸タイプの加速度センサで、例えば、所定のサンプリング周期毎に、加速度（振動）の大きさとして、互いに直交する３軸方向の加速度成分を検出するようにしているが、この３軸方向の加速度成分の中から重力方向の加速度成分を携帯電話機（加速度センサ）の向きに応じて選択し、この加速度成分に応じて表示部１７の方向を検出するようにしている。すなわち、表示部方向検出部２６は、表示部１７を構成する表示領域の水平方向（重力方向）に対する方向を検出するもので、例えば、表示領域の長辺方向が重力方向に向くような状態を縦長の向き、その短辺方向が重力方向に向くような状態を横長向きと称すると、この縦長の向き／横長の向きを表示部１７の方向として検出するようにしている。
【００３４】
図３は、携帯電話機１の外観図である。
携帯電話機１は、その機器本体（装置本体）を構成する複数の筐体の連結状態に応じて複数のスタイルに変更可能な２軸ヒンジタイプで、操作部筐体１Ａと表示部筐体１Ｂとは、折り畳み開閉自在及び回動自在にヒンジ部１Ｃを介して連結されている。ヒンジ部１Ｃには操作部筐体１Ａと表示部筐体１Ｂとを折り畳み開閉するための開閉用ヒンジ軸が設けられているほか、この開閉用ヒンジ軸と略直交して、一方の筐体を他方の筐体に対して回動するための回動用ヒンジ軸とが設けられている。
【００３５】
このような２軸ヒンジタイプの携帯電話機１は、操作部筐体１Ａと表示部筐体１Ｂとが、どのように連結されているかに応じて携帯電話機１の形態を複数のスタイル（クローズスタイル、オープンスタイル、ビュースタイルなど）に変更可能なもので、図３（１）は、操作部筐体１Ａと表示部筐体１Ｂとの折り畳みを開いた状態のオープンスタイルを示している。なお、操作部筐体１Ａの内面には、操作部２０が配置され、また、表示部筐体１Ｂの内面には、表示部１７が配置されている。なお、操作部筐体１Ａの内面側には、通話用マイクＭＣが配置され、表示部筐体１Ｂの内面には、通話用スピーカＳＰが配置されている。図３（２）は、オープンスタイルにおいて表示部筐体１Ｂを１８０度反転させてから折り畳んだ状態のビュースタイルを示し、オープンスタイルで内側となっていた表示部１７は、ビュースタイルでは外側に向くようになる。
【００３６】
図４は、省電力モード記憶部Ｍ３を説明するための図である。
省電力モード記憶部Ｍ３は、消費電力を抑制する動作モード（省電力モード）に設定されているか否かを示す情報を記憶するもので、その「項目」の“オン”、“オフ”に対応付けられている「設定フラグ」は、現在、省電力モードオン、省電力モードオフのいずれが有効であるかを示し、“１”は有効、“０”は無効を示している。なお、その「設定フラグ」の内容は、ユーザ操作によって任意に設定されたものである。なお、省電力モードは、例えば、特定の機能の動作を制限したり、表示部１７の輝度（例えば、液晶表示部であれば、バックライトの明るさ）を下げたり、サウンドスピーカ２３の出力音量を下げたりすることによって、消費電力を抑制する動作モードである。
【００３７】
図５は、条件記憶部Ｍ４を説明するための図である。
条件記憶部Ｍ４は、表示情報を表示部１７に表示させる際に、この表示情報の３Ｄ深度を決定するための条件を記憶するもので、「項目」、「設定フラグ」、「内容」、「３Ｄ深度」を有し、中央制御部１１は、表示情報を表示部１７に表示させる際に、現在、どのような状況であるかに応じて当該表示情報の３Ｄ深度を決定し、この３Ｄ深度で当該表示情報を表示部１７に表示させるようにしている。「項目」は、３Ｄ深度を決定するための条件（状況）の種類を示すもので、この「項目」には“表示サイズ”、“電池残量”、“省電力モード”が３Ｄ深度を決定する条件として記憶されている。
【００３８】
“表示サイズ”は、表示情報を表示部１７に表示させる際の表示サイズを条件とするもので、中央制御部１１は、その表示情報の表示サイズ（表示情報の状況）に基づいて当該条件（表示サイズ）を参照することによって、表示情報の３Ｄ深度を決定し、この３Ｄ深度で当該表示情報を３Ｄ表示させるようにしている。“電池残量”は、表示情報を表示部１７に表示させる際に電池部１２によって検出された現在の電池残量（動作用電力の使用状況）を条件とするもので、中央制御部１１は、この現在の電池残量に基づいて当該条件（電池残量）を参照することによって、表示部１７に表示される表示情報の３Ｄ深度を決定し、この３Ｄ深度で表示情報を表示部１７に表示させるようにしている。“省電力モード”は、表示情報を表示部１７に表示させる際に省電力モードのオン／オフ（動作用電力の使用状況）を条件とするもので、中央制御部１１は、省電力モードのオン／オフに基づいて当該条件（省電力モード）を参照することによって、表示部１７に表示される表示情報の３Ｄ深度を決定し、この３Ｄ深度で表示情報を表示部１７に表示させるようにしている。
【００３９】
「設定フラグ」は、現在有効な条件を示すフラグで、“１”は有効、“０”は無効を示している。「設定フラグ」はユーザ操作によって任意に設定可能なもので、現在有効な条件は、いずれか一つでもよいし、複数の条件の組み合わせであってもよい。なお、図示の例は、“表示サイズ”の条件が有効で、“電池残量”及び“省電力モード”の条件が無効の場合を示している。「内容」は対応する条件の内容を具体的に示したもので、後述する複数の内容が記憶されている。「３Ｄ深度」は、表示情報の３Ｄの奥行きあるいは飛び出しの程度を示すもので、各「内容」に対応付けられており、現在の状況がどの「内容」の条件に該当するかに応じて決定される３Ｄ深度を示している。なお、図示の例では、条件の「項目」が“表示サイズ”の場合、その「内容」には“５００００（ピクセル×ピクセル）以上”、“３００００〜４９９９９”、“１００００〜２９９９９”、“１００００未満”が設定されている。また、この条件の各「内容」に対応する「３Ｄ深度」には、“レベル３”、“レベル２”、“レベル１”、“レベル０（２Ｄ）”が設定されている。
【００４０】
ここで、表示情報の表示サイズが大きいほど３Ｄの深度が深くなるようにしている。例えば、表示情報の表示サイズが“３００００〜４９９９９”で、所定の表示サイズ（１００００〜２９９９９）よりも大きい場合には、所定の３Ｄ深度（レベル１）よりも大きい３Ｄ深度（レベル２）で表示情報を３Ｄ表示させるようにしている。同様に、表示情報の表示サイズが“５００００以上”で、所定の表示サイズ（“３００００〜４９９９９”）よりも大きい場合に、所定の３Ｄ深度（レベル２）よりも大きい３Ｄ深度（レベル３）で表示情報を３Ｄ表示させるようにしている。また、表示情報の表示サイズが小さい場合には、３Ｄ深度をゼロにしている。例えば、表示情報の表示サイズが所定の表示サイズ（１００００）よりも小さい場合には、３Ｄ深度をレベル０で２Ｄ表示させるようにしている。
【００４１】
なお、図示の例では、“表示サイズ”の「内容」として、表示情報の表示サイズを面積サイズ（ピクセル×ピクセル）で表現するようにしたが、これに限らず、例えば、縦サイズ（ピクセル）のみ、横サイズ（ピクセル）のみで表示サイズを表現するようにしてもよい。また、「３Ｄ深度」の“レベル０（２Ｄ）”は、３Ｄ深度が“レベル０（ゼロ）”で、２Ｄ（平面）であることを示している。また、図示の例では、「３Ｄ深度」をレベルで表現するようにしたが、これに限らず、例えば、ミリメートルなど別の単位で表現するようにしてもよい。
【００４２】
また、条件の「項目」が“電池残量”の場合、その「内容」には“残量レベル３”、“
残量レベル２”、“ 残量レベル０〜１”が設定されている。また、この条件の各「内容」に対応する「３Ｄ深度」には、“レベル３”、“レベル２”、“レベル１”、“レベル０（２Ｄ）”
が設定されている。ここで、残量レベル３＞ 残量レベル２＞ 残量レベル０〜１の関係にあり、電池残量が少ないほど３Ｄの深度が浅くなるようにしている。
【００４３】
例えば、電池残量が所定の残量（残量レベル３）より少ない場合には、所定の３Ｄ深度（レベル３）よりも小さい３Ｄ深度（レベル２）で表示情報を３Ｄ表示させるようにしている。同様に、電池残量が所定の残量（残量レベル２）より少ない場合には、所定の３Ｄ深度（レベル１）よりも小さい３Ｄ深度（レベル０）で表示情報を２Ｄ表示させるようにしている。また、条件の「項目」が“省電力モード”の場合、その「内容」には“省電力モードオフ”、“省電力モードオン”が設定されている。また、この条件の各「内容」に対応する「３Ｄ深度」には、“レベル３”、“レベル０（２Ｄ）”
が設定されている。ここで、省電力モードがオンされていれば、２Ｄ表示を行い、省電力モードがオフされていれば、３Ｄ表示を行うようにしている。すなわち、省電力モードがオンされている場合には、所定の３Ｄ深度（レベル３）よりも小さい３Ｄ深度（レベル０）で表示情報を２Ｄ表示させるようにしている。
【００４４】
なお、図６は、条件記憶部Ｍ４の変形例を説明するための図で、上述した実施形態では、“表示サイズ”、“電池残量”、“省電力モード”の条件毎に、それぞれ複数の「内容」を記憶するようにしたが、図６に示すように、“表示サイズ”、“電池残量”、“省電力モード”の条件に、一つの「内容」を記憶するようにしてもよい。この条件記憶部Ｍ４は、「項目」、「内容」、「設定フラグ」を有する構成で、図５で示した「３Ｄ深度」は「内容」に含めるようにしたものである。例えば、図６の例において、条件が“表示サイズ”の「内容」には、“２５６×２５６ピクセル以上で３Ｄ”が設定され、表示サイズが２５６×２５６ピクセル以上であれば、表示情報を３Ｄで表示させることを示している。また、条件が“電池残量”の「内容」には、“残量レベル１以下で２Ｄ”
が設定され、現在の電池残量がレベル１以下であれば、表示情報を２Ｄ表示させることを示している。また、条件が“省電力モード”の「内容」には、“省電力モードオンで２Ｄ”が設定され、省電力モードがオンされていれば、表示情報を２Ｄ表示させることを示している。
【００４５】
図７は、表示情報記憶部Ｍ５を説明するための図である。
表示情報記憶部Ｍ５は、表示部１７に表示するための表示情報を記憶するもので、例えば、情報配信装置４から動画、静止画、音楽、ニュースなどの情報をインターネット３、無線通信網２を介してダウンロードしたり、テレビ放送受信部１６によって受信した放送番組を録画記録したりした情報を表示情報として記憶するようにしている。この表示情報記憶部Ｍ５は、表示情報を識別する「情報ＩＤ」に対応して「タイトル」、「種別」、「３Ｄ深度」、「表示情報サイズ」、「実データ」などを記憶する構成で、「種別」は、表示情報の種別（動画、静止画、テキスト、メニューなど）を識別するための情報である。
【００４６】
「表示情報サイズ」は、表示情報の実サイズ（面積サイズ）を示し、サイズ縦ピクセル×横ピクセルによって表現されている。「実データ」は、表示情報の実データで、その「３Ｄ深度」が“レベル０（２Ｄ表示用）”の実データのみを持つ表示情報もあれば、各３Ｄ深度の実データを持つ表示情報もある。つまり、同じ内容であっても３Ｄ深度毎に実データ（２Ｄ表示を含む）をそれぞれ持つ表示情報があり、また、３Ｄ深度がレベル０（２Ｄ表示）の実データのみを持つ表示情報がある。
【００４７】
次に、本実施形態における携帯電話機１の動作概念を図８〜図１５に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、ネットワークなどの伝送媒体を介して外部供給されたプログラム／データを利用して本実施形態特有の動作を実行することもできる。
【００４８】
図８は、電源投入に伴って実行開始される携帯電話機１側の全体動作の概要を示したフローチャートである。
先ず、携帯電話機１においてその中央制御部１１は、電源を投入する電源オン操作が行われると（ステップＡ１でＹＥＳ）、電源供給を開始させて所定のメモリなどを初期化する電源オン処理を実行したのち、所定の待受画像を読み出して表示させたり、基地局２Ａとの間で通信を行って位置登録をしたりする待受処理を行う（ステップＡ２）。
【００４９】
ここで、任意の情報を設定する設定操作が行われた場合には（ステップＡ３でＹＥＳ）、その操作に対応する設定処理として、例えば、条件記憶部Ｍ４、表示情報記憶部Ｍ５に対する設定が行われる（ステップＡ４）。すなわち、条件記憶部Ｍ４に対して各条件の「内容」などを設定する。また、情報配信装置４から動画、静止画、音楽、ニュースなどの情報をダウンロードしたり、テレビ放送受信部１６によって受信した放送番組を録画記録したりして、表示情報記憶部Ｍ５に記憶する処理などを行う。このような設定処理が終わると、上述のステップＡ３に戻る。
【００５０】
表示情報表示操作が行われると、つまり、ユーザ操作によって画像、テキスト、メニューなどの表示情報を表示部１７に表示させることを指示する表示操作を検出すると（ステップＡ５でＹＥＳ）、この表示情報の表示方向と表示サイズを決定する表示情報決定処理Ａを実行すると共に（ステップＡ６）、この表示情報の３Ｄ深度を決定する３Ｄ深度決定処理Ａを実行したのち（ステップＡ７）、この決定した表示方向、表示サイズ、３Ｄ深度に基づいて当該表示情報を表示する表示処理に移る（ステップＡ８）。
【００５１】
図９は、表示情報決定処理Ａ（図８のステップＡ６）を詳述するためのフローチャートである。
先ず、中央制御部１１は、表示部方向検出部２６を動作させて表示部１７の方向（縦長の向き／横長の向き）を検出したのち（ステップＢ１）、この表示部１７の方向に対する表示情報の表示方向を決定する（ステップＢ２）。すなわち、表示部１７の方向が縦長であるか横長であるかに関わらず、表示情報が正しい方向（表示情報の天地方向が重力方向に向くように）になるように、表示部方向検出部２６によって検出された表示部１７の方向に基づいて、表示部１７の方向に対する表示情報の表示方向を決定する。
【００５２】
そして、表示情報記憶部Ｍ５をアクセスし、ユーザ操作で表示指示された表示情報に対応付けられている「表示情報サイズ」を読み出したのち（ステップＢ３）、表示情報の表示サイズを決定する（ステップＢ４）。この場合、上述のように決定した表示情報の表示方向で、縦横比を変えずに表示領域一杯に表示されるように、この決定された表示情報の表示方向と、読み出された「表示情報サイズ」と、表示領域のサイズに基づいて、表示情報の表示サイズを決定（算出）する。このようにして決定した表示情報の表示方向及び表示サイズを各種情報一時記憶部Ｍ２に一時記憶しておく（ステップＢ５）。
【００５３】
図１０は、３Ｄ深度決定処理Ａ（図８のステップＡ７）を詳述するためのフローチャートである。
先ず、中央制御部１１は、条件記憶部Ｍ４をアクセスし、「設定フラグ」が“１”の条件を読み出し（ステップＣ１）、その条件は「表示サイズ」であるか（ステップＣ２）、「電池残量」であるかを調べ（ステップＣ６）、「表示サイズ」であれば（ステップＣ２でＹＥＳ）、上述の表示情報決定処理Ａ（図８のステップＡ６）で決定された表示サイズは、この条件（表示サイズ）のどの「内容」に該当するかを調べるために、当該条件の各「内容」と、決定された表示サイズとを比較する（ステップＣ３）。
【００５４】
ここで、表示サイズの比較において、条件の「内容」は面積サイズであるのに対し、決定された表示サイズが縦サイズあるいは横サイズであれば、その縦サイズあるいは横サイズとの比較を行う。その結果、“１００００未満”、…“５００００以上の各「内容」のうち、いずれの「内容」に該当するかに応じて、該当する「内容」に対応する「３Ｄ深度」を表示情報の３Ｄ深度として決定する（ステップＣ４）。この場合、表示情報の表示サイズが大きいほど、大きい３Ｄ深度を決定し、また、表示サイズが所定の表示サイズが所定のサイズよりも小さければ、３Ｄ深度をゼロとして決定する。そして、決定した３Ｄ深度を各種情報一時記憶部Ｍ２に一時記憶しておく（ステップＣ５）。
【００５５】
また、「設定フラグ」が“１”の条件が「電池残量」であれば（ステップＣ６でＹＥＳ）、その条件の「内容」と、電池部１２によって検出された二次電池の残量とを比較することによって（ステップＣ７）、該当する条件の「内容」（電池残量レベル）に対応する「３Ｄ深度」を表示情報の３Ｄ深度として決定し（ステップＣ８）、各種情報一時記憶部Ｍ２に一時記憶しておく（ステップＣ５）。また、「設定フラグ」が“１”の条件が「省電力モード」であれば（ステップＣ６でＮＯ）、その条件の「内容」と、現在の省電力モードのオン／オフとを比較することによって（ステップＣ９）、該当する条件の「内容」（省電力モードのオン／オフ）に対応する「３Ｄ深度」を表示情報の３Ｄ深度として決定し（ステップＣ１０）、各種情報一時記憶部Ｍ２に一時記憶しておく（ステップＣ５）。
【００５６】
図１１は、表示処理（図８のステップＡ８）を詳述するためのフローチャートである。
先ず、中央制御部１１は、表示情報記憶部Ｍ５を参照し、上述した３Ｄ深度決定処理Ａ（図８のステップＡ７）において決定された「３Ｄ深度」は、“レベル０”であるかを調べ（ステップＤ１）、“レベル０”で２Ｄ（平面）であれば（ステップＤ１でＹＥＳ）、この表示情報を２Ｄ表示させるが、その際、表示部１７の表面に視差バリアが生成されていれば、この視差バリアを消去したのち（ステップＤ２）、表示情報決定処理Ａ（図８のステップＡ６）で決定された表示方向及び表示サイズで表示部１７に２Ｄ表示させる（ステップＤ３）。このように表示情報の表示サイズに基づいて、その表示情報の３Ｄ深度をゼロにするか否かを決定し、それをゼロにする場合には、表示情報を表示部１７に２Ｄ表示させる。
【００５７】
また、上述の表示情報決定処理Ａで決定された「３Ｄ深度」が“レベル０”でなければ（ステップＤ１でＮＯ）、その表示情報の「３Ｄ深度」に基づいて表示情報記憶部Ｍ５を検索し、該当する「実データ」の有無を調べる（ステップＤ４）。すなわち、「実データ」は、「３Ｄ深度」が“レベル０”の実データのみを持つ表示情報もあれば、各３Ｄ深度の実データを持つ表示情報もあるため、該当する「３Ｄ深度」の「実データ」の有無を調べる。その結果、該当する「実データ」が有れば（ステップＤ４でＹＥＳ）、表示情報決定処理Ａで決定された「３Ｄ深度」に対応付けられている「実データ」を選択して読み出す（ステップＤ５）。そして、表示情報を３Ｄ表示させるが、その際、視差バリアを表示部１７の表層に生成させたのち（ステップＤ６）、表示情報決定処理Ａ（図８のステップＡ６）で決定された表示方向及び表示サイズで表示部１７に３Ｄ表示させる（ステップＤ７）。
【００５８】
また、該当する「３Ｄ深度」の「実データ」が無ければ（ステップＤ４でＮＯ）、つまり、決定された３Ｄ深度とは別の３Ｄ深度（例えば、深度レベル“０”）の「実データ」しか記憶されていなければ、この別の３Ｄ深度の「実データ」を、決定された３Ｄ深度の３Ｄ表示情報に変換するために、決定された３Ｄ深度に応じた右目用の表示情報と左目用の表示情報を生成する（ステップＤ８）。そして、視差バリアを表示部１７の表層に生成させたのち（ステップＤ６）、表示情報を決定された表示方向及び表示サイズで表示部１７に３Ｄ表示させる（ステップＤ７）。このように該当する「３Ｄ深度」の「実データ」が記憶されていなければ、決定された３Ｄ深度とは別の３Ｄ深度の「実データ」を、決定された３Ｄ深度の３Ｄ表示情報に変換して３Ｄ表示させる。
【００５９】
一方、表示部１７に表示されている表示情報の表示サイズを変更する変更操作を検出した場合には（図８のステップＡ９でＹＥＳ）、この表示サイズ変更操作によって新たな表示サイズを決定する表示情報決定処理Ｂを実行すると共に（ステップＡ１０）、この新たに決定された表示サイズに基づいて表示情報の３Ｄ深度を決定する３Ｄ深度決定処理Ｂを実行したのち（ステップＡ１１）、この決定した表示サイズおよび３Ｄ深度に基づいて表示情報を表示する表示処理に移る（ステップＡ８）。すなわち、表示部１７に表示されている表示情報の表示サイズが変更された場合には、変更後の表示サイズに基づいて表示情報の３Ｄ深度を新たに決定し、この新たな３Ｄ深度で当該表示情報を切り替えて表示させるようにしている。
【００６０】
図１２は、表示情報決定処理Ｂ（図８のステップＡ１０）を詳述するためのフローチャートである。
先ず、中央制御部１１は、表示サイズ変更操作によって指示された表示サイズを表示情報の表示サイズとして決定したのち（ステップＥ１）、この変更後の表示サイズを、表示情報の表示方向（上述の表示情報決定処理Ａで決定された元の表示方向、つまり、表示サイズが変更される前の表示方向）と共に、各種情報一時記憶部Ｍ２に一時記憶しておく（ステップＥ２）。
【００６１】
図１３は、３Ｄ深度決定処理Ｂ（図８のステップＡ１１）を詳述するためのフローチャートである。
先ず、中央制御部１１は、条件記憶部Ｍ４をアクセスし、「設定フラグ」が“１”の条件を読み出し（ステップＦ１）、その条件は「表示サイズ」であるかを調べ（ステップＦ２）、「表示サイズ」でなければ（ステップＦ２でＮＯ）、図８のステップＡ３に戻るが、「表示サイズ」であれば（ステップＦ２でＹＥＳ）、上述の表示情報決定処理Ｂによって決定された表示サイズは、この条件（表示サイズ）のどの「内容」に該当するかを調べるために、この条件の各「内容」と決定された表示サイズとを比較する（ステップＦ３）。その結果、“１００００未満”、…“５００００以上”の各「内容」のうち、そのいずれの「内容」に該当するかに応じて、該当する「内容」に対応する「３Ｄ深度」を表示情報の３Ｄ深度として決定し（ステップＦ４）、各種情報一時記憶部Ｍ２に一時記憶しておく（ステップＦ５）。
【００６２】
このように表示情報の表示サイズが変更されると、変更後の表示サイズに基づいて３Ｄ深度が変更されるため、この変更後の表示サイズ及び３Ｄ深度と既に一時記憶されている元の表示方向に基づいて表示情報を表示する表示処理を行う（図８ステップＡ８）。この場合、変更後の３Ｄ深度のレベルに応じて２Ｄ表示あるいは３Ｄ表示が行われる（図１１のステップＤ１〜Ｄ８）。
【００６３】
また、表示部１７の方向が変更されたことを検出すると（図８のステップＡ１２でＹＥＳ）、その変更に応じて表示情報の表示方向と表示サイズを新たに決定するために上述の表示情報決定処理Ａを実行すると共に（ステップＡ１３）、この新たに決定された表示方向と表示サイズに基づいて表示情報の新たに３Ｄ深度を決定する３Ｄ深度決定処理Ｂを実行したのち（ステップＡ１４）、この決定した表示方向、表示サイズ、３Ｄ深度に基づいて表示情報を表示する表示処理に移る（ステップＡ８）。この場合、表示情報決定処理Ａにおいて、変更された表示部１７の方向を検出し（図９のステップＢ１）、この新たな方向に基づいて表示情報の表示方向を決定する（ステップＢ２）。そして、表示されている表示情報に対応付けられている「表示情報サイズ」を読み出したのち（ステップＢ３）、表示情報の表示サイズを決定する（ステップＢ４）。この場合、新たな表示方向で、縦横比を変えずに表示領域一杯に表示されるように、この決定された表示情報の表示方向と、読み出された「表示情報サイズ」と、表示領域のサイズに基づいて、表示情報の表示サイズを決定（算出）する。このようにして決定した表示情報の表示方向及び表示サイズを各種情報一時記憶部Ｍ２に一時記憶しておく（ステップＢ５）。
【００６４】
また、電池部１２での電池残量の変化を検出すると（図８のステップＡ１５でＹＥＳ）、この電池残量の変化に基づいて表示情報の新たに３Ｄ深度を決定する３Ｄ深度決定処理Ｃを実行したのち（ステップＡ１６）、この決定した３Ｄ深度に基づいて表示情報を表示する表示処理に移る（ステップＡ８）。すなわち、電池残量（動作用電力の使用状況）に基づいて、表示部１７に表示される表示情報の３Ｄ深度を決定し、この３Ｄ深度で表示情報を表示部１７に表示させる。
【００６５】
図１４は、３Ｄ深度決定処理Ｃ（図８のステップＡ１６）を詳述するためのフローチャートである。
先ず、中央制御部１１は、条件記憶部Ｍ４をアクセスし、「設定フラグ」が“１”の条件を読み出し（ステップＧ１）、その条件は「電池残量」であるかを調べ（ステップＧ２）、「電池残量」でなければ（ステップＧ２でＮＯ）、図８のステップＡ３に戻るが、「電池残量」であれば（ステップＧ２でＹＥＳ）、現在の電池残量は、この条件（電池残量）のどの「内容」に該当するかを調べるために、この条件の各「内容」と現在の電池残量とを比較する（ステップＧ３）。その結果、“残量レベル０〜１”、“残量レベル２”、“残量レベル３”の各「内容」のうち、そのいずれの「内容」に該当するかに応じて、該当する「内容」に対応する「３Ｄ深度」を表示情報の３Ｄ深度として決定する（ステップＧ４）。この場合、電池残量が少ないほど、小さな３Ｄ深度を決定する。そして、決定した「３Ｄ深度」を各種情報一時記憶部Ｍ２に一時記憶しておく（ステップＧ５）。
【００６６】
このように電池残量が変化されると、この変化に基づいて３Ｄ深度が変更されるため、この変更後３Ｄ深度と既に一時記憶されている元の表示サイズ及び表示方向、つまり、電池残量が変化する前の表示サイズ及び表示方向に基づいて表示情報を表示する表示処理を行う（図８ステップＡ８）。この場合、電池残量変化後の３Ｄ深度のレベルに応じて２Ｄ表示あるいは３Ｄ表示が行われる（図１１のステップＤ１〜Ｄ８）。
【００６７】
また、省電力モードの変更を指示する操作を検出すると（図８のステップＡ１７でＹＥＳ）、この変更操作に基づいて表示情報の新たに３Ｄ深度を決定するために３Ｄ深度決定処理Ｄを実行したのち（ステップＡ１８）、この決定した３Ｄ深度に基づいて表示情報を表示する表示処理に移る（ステップＡ８）。すなわち、省電力モード（動作用電力の使用状況）に基づいて、表示部１７に表示される表示情報の３Ｄ深度を決定し、この３Ｄ深度で表示情報を表示部１７に表示させる。
【００６８】
図１５は、３Ｄ深度決定処理Ｄ（図８のステップＡ１８）を詳述するためのフローチャートである。
先ず、中央制御部１１は、ステップＡ１７の省電力モード変更操作に従って、省電力モード記憶部Ｍ３の設定フラグを変更する（ステップＨ１）。省電力モード変更操作によって省電力モードがオンに設定された場合には、“オン”の「設定フラグ」を“１”に、“オフ”の「設定フラグ」を“０”にする。省電力モードがオフに設定された場合には、“オン”の「設定フラグ」を“０”に、“オフ”の「設定フラグ」を“１”にする。ここで、省電力モードをオンに設定すると、その時点から省電力動作が開始される。
次に、中央制御部１１は、条件記憶部Ｍ４をアクセスし、「設定フラグ」が“１”の条件を読み出し（ステップＨ２）、その条件は「省電力モード」であるかを調べ（ステップＨ３）、「省電力モード」でなければ（ステップＨ３でＮＯ）、図８のステップＡ３に戻るが、「省電力モード」であれば（ステップＨ３でＹＥＳ）、新たに指定された省電力モードは、この条件（省電力モード）のどの「内容」に該当するかを調べるために、この条件の各「内容」と新たな省電力モードとを比較する（ステップＨ４）。
【００６９】
その結果、“省電力モードオン”、“省電力モードオフ”の各「内容」のうち、そのいずれかの「内容」に該当するかに応じて、該当する「内容」に対応する「３Ｄ深度」を、その表示情報の３Ｄ深度として決定する（ステップＨ５）。この場合、省電力モードが“オン”されていれば、３Ｄ深度として“レベル０”を決定し、省電力モードが“オフ”されていれば、３Ｄ深度として“レベル３”を決定する。そして、決定した「３Ｄ深度」を各種情報一時記憶部Ｍ２に一時記憶しておく（ステップＨ６）。
【００７０】
このように省電力モードが変更されると、この変更に基づいて３Ｄ深度が変更されるため、この変更後３Ｄ深度と既に一時記憶されている元の表示サイズ及び表示方向、つまり、省電力モードが変更される前の表示サイズ及び表示方向に基づいて表示情報を表示する表示処理を行う（図８ステップＡ８）。この場合、省電力モード変更後の３Ｄ深度のレベルに応じて２Ｄ表示あるいは３Ｄ表示が行われる（図１１のステップＤ１〜Ｄ８）。
【００７１】
他方、電話着信を検出すると（図８のステップＡ１９でＹＥＳ）、通話可能状態とすると共に、通話履歴を記憶したり、通話に関する情報を表示したりする通話処理を実行したのち（ステップＡ２０）、上述のステップＡ３に戻る。また、電源オフ操作が行われたときには（ステップＡ２１でＹＥＳ）、電源オフ処理を実行して（ステップＡ２２）、この図８のフローの終了となるが、その他の操作が行われたときには（ステップＡ２３でＹＥＳ）、その操作に応じた処理として、例えば、表示部１７の内容を消去する表示消去処理、通話発信処理、メール発信処理などを実行したのち（ステップＡ２４）、上述のステップＡ３に戻る。
【００７２】
以上のように、本実施形態において中央制御部１１は、表示情報を表示部１７に３Ｄ表示させる際に、その表示サイズに基づいて、表示部１７に表示される表示情報の３Ｄ深度を決定し、この３Ｄ深度で表示情報を３Ｄ表示させるようにしたので、この表示情報の表示サイズに応じて適切な３Ｄ深度で当該表示情報を表示させることができる。
【００７３】
表示部１７に表示される表示情報の表示サイズが所定の表示サイズよりも大きい場合に、３Ｄ深度を所定の３Ｄ深度よりも大きい３Ｄ深度に決定するようにしたので、大きい表示サイズのときには３Ｄ深度の大きい表示情報を表示させることによって、ユーザに迫力や臨場感のある３Ｄ表示を提供することができる。
【００７４】
表示部１７に表示される表示情報の表示サイズに基づいて、その表示情報の３Ｄ深度をゼロにするか否かを決定し、それをゼロにする場合には、表示情報を表示部１７に２Ｄ表示させるようにしたので、表示情報の表示サイズに基づいて適切に３Ｄ表示か２Ｄ表示かを決定して表示制御することができる。
【００７５】
表示部１７に表示される表示情報の表示サイズが所定の表示サイズよりも小さい場合に、３Ｄ深度をゼロに決定するようにしたので、ユーザが表示情報を３Ｄ表示で見にくい場合には２Ｄ表示にすることができる。また、３Ｄ深度がゼロの「実データ」を３Ｄ変換する方式の場合、２Ｄ表示させることによって、３Ｄ変換する処理を省略することができる。表示サイズが小さくて３Ｄ表示が見にくい場合に、２Ｄ表示でより見やすくすることは極めて有効であり、３Ｄ変換の処理を省略することも、不要な処理や消費電力の軽減の観点から極めて有効である。
【００７６】
表示部１７に表示される表示情報のサイズ及び表示部１７の表示領域のサイズに基づいて、表示情報の表示サイズを検出するようにしたので、表示情報の表示サイズに基づいて適切に３Ｄ表示か２Ｄ表示かを決定して表示制御することができる。
【００７７】
表示情報の表示サイズが変更された場合に、変更後の表示サイズに基づいて表示情報の３Ｄ深度を決定し、この３Ｄ深度で当該表示情報を切り替えて表示させるようにしたので、表示サイズが変更された場合に、その変更された表示サイズに応じて適切な３Ｄ深度で表示情報を表示させることができる。
【００７８】
決定された３Ｄ深度とは別の３Ｄ深度の「実データ」を決定された３Ｄ深度の３Ｄ表示情報に変換して３Ｄ表示させるようにしたので、３Ｄ深度が異なる複数の表示情報を予め用意しておく必要が無く、多数の情報を作成して記憶させる手間を削減できるほか、記憶容量の点でも有利なものとなる。
【００７９】
３Ｄ深度が異なる複数の表示情報の中から、決定された３Ｄ深度の表示情報を選択して３Ｄ表示させるようにしたので、３Ｄ変換の処理を省略することができる。
【００８０】
動作用電力の使用状況に基づいて、表示部１７に表示される表示情報の３Ｄ深度を決定し、この３Ｄ深度で表示情報を表示部１７に表示させるようにしたので、動作用電力の使用状況に応じて適切な３Ｄ深度で表示情報を表示させることができる。
【００８１】
表示部１７に表示される表示情報の３Ｄ深度を電池残量（動作用電力の使用状況）に基づいて決定するようにしたので、電池残量に応じて適切な３Ｄ深度で表示情報を表示させることができる。
【００８２】
動作用電力の残量が所定の残量より少ない場合には、所定の３Ｄ深度よりも小さい３Ｄ深度に決定するようにしたので、電池残量が少ないとき、すなわち、消費電力を抑制すべきときに３Ｄ深度の小さい表示情報を表示させることによって、消費電力を軽減することができる。
【００８３】
電池残量が所定の残量より少ない場合に、３Ｄ深度をゼロに決定して表示情報を２Ｄ表示させるようにしたので、電池残量が少ないとき、すなわち、消費電力を抑制すべきときに表示情報を２Ｄ表示させることによって、消費電力を軽減することができる。また、３Ｄ変換する方式の場合には、２Ｄ表示させることによって、３Ｄ変換する処理を省略することができる。３Ｄ変換の処理を省略することは、不要な処理や消費電力の軽減の観点から極めて有効である。
【００８４】
表示部１７に表示される表示情報の３Ｄ深度を省電力モードに設定されているか否かに基づいて決定するようにしたので、省電力モードに設定されているか否かに応じて適切な３Ｄ深度で表示情報を表示させることができる。
【００８５】
省電力モードに設定されている場合には所定の３Ｄ深度よりも小さい３Ｄ深度に決定するようにしたので、消費電力を抑制すべきときには３Ｄ深度の小さい表示情報を表示させることによって、消費電力を軽減することができ、そのときの状態に合せて消費電力の軽減が可能となる。
【００８６】
省電力モードに設定されている場合には３Ｄ深度をゼロに決定して２Ｄ表示させるようにしたので、消費電力を抑制すべきときには２Ｄ表示させることによって、消費電力を軽減することができ、そのときの状態に合せて消費電力の軽減が可能となる。
【００８７】
なお、上述した実施形態においては、表示部１７に表示させる表示情報の種別として、情報配信装置４から配信される表示情報、テレビ局５から送信される表示情報（テレビ番組）、テキスト、メニューなどとしたが、これに限らず、例えば、撮影手段を備えた携帯電話機１にあっては、その撮影手段で撮影された表示情報（画像）、又は各種設定用画面、動画再生時の音量設定用画面など、表示部１７に表示させる任意の種別の表示情報であってもよい。
【００８８】
また、上述した実施形態においては、表示部１７に表示させる表示情報として記憶部１３に記憶されている表示情報としたが、これに限らず、情報配信装置４から配信される表示情報を受信しながら逐次表示したり（ストリーミング再生）、テレビ局５から送信される表示情報（テレビ番組）を受信しながら逐次表示したりするなど、表示部１７に表示させる任意の表示情報であってもよい。
【００８９】
また、上述した実施形態においては、３Ｄの表示情報は、その３Ｄ深度に応じた右目用の表示情報と左目用の表示情報を同時に表示して、それらが正しく３Ｄに見えるように３Ｄ深度に応じた視差バリアを表示部１７の表層に生成して３Ｄ表示を行う方法を例示したが、例えば、表示情報の中のオブジェクトが３Ｄに見えるような視覚効果を施して３Ｄ表示を行う方法など、任意の３Ｄ表示方法であってもよい。
【００９０】
また、表示部１７での表示情報の表示方法（表示部１７に対する表示情報の表示方向と表示情報の表示サイズ）については、任意の表示方法であってもよい。上述した実施形態において、「表示部１７に対する表示情報の表示方向」は、表示部１７の方向を検出して、その検出結果に基づいて、表示部１７に対する表示情報の表示方向を決定するようにしたが、例えば、（１）縦長の表示情報であれば、表示部１７を縦長にしたときに正しく見えるような表示方向にし、横長の表示情報であれば、表示部を横長にしたときに正しく見えるような表示方向にする、（２）オープンスタイルであれば表示部１７を縦長にしたときに正しく見えるような表示方向にし、ビュースタイルであれば表示部１７を横長にしたときに正しく見えるような表示方向にする、（３）表示情報で指定されている表示方向にする、（４）ユーザ操作によって指定された表示方向にする、など任意の表示方向の決定方法であってもよい。上述した実施形態において、「表示情報の表示サイズ」は、決定された表示方向で、縦横比を変えずに表示領域一杯に表示されるように表示サイズを決定したが、（１）縦横比を変えて表示領域一杯に表示されるような表示サイズにする、（２）表示情報で指定されている表示サイズにする、（３）ユーザ操作によって指定された表示サイズにする、など任意の表示サイズの決定方法であってもよい。
【００９１】
上述した実施形態において、決定された３Ｄ深度の実データが記憶されていない場合には、別の３Ｄ深度の実データを決定された３Ｄ深度の実データに変換するようにしたが、決定された３Ｄ深度の実データを情報配信装置に要求して受信するようにしてもよい。
【００９２】
その他、記憶部１３はメモリカードや外付けハードディスクなど、任意の外部記憶装置であってもよい。また、表示部１７は、外部モニタなど、任意の外部表示装置であってもよい。また、端末装置は携帯電話機に限らず、パーソナルコンピュータ、ＰＤＡ、デジタルカメラ、音楽プレイヤーなど、任意の端末装置であってもよい。更に、折り畳みタイプの端末装置に限らず、ストレートタイプ、スライドタイプ、スピントップタイプなど任意の筐体構造であってもよい。
【符号の説明】
【００９３】
１  携帯電話機
２  無線通信網
３  インターネット
４  情報配信装置
５  テレビ局
１１  中央制御部
１２  電池部
１３  記憶部
１４  無線通信部
１６  テレビ放送受信部
１７  表示部
１８  ３Ｄ変換処理部
１９  視差バリア制御部
２０  操作部
Ｍ１  プログラム記憶部
Ｍ２  各種情報一時記憶部
Ｍ３  省電力モード記憶部
Ｍ４  ３Ｄ深度情報記憶部
Ｍ５  表示情報記憶部
【図１】
2010183154.tif 000003
【図２】
2010183154.tif 000004
【図３】
2010183154.tif 000005
【図４】
2010183154.tif 000006
【図５】
2010183154.tif 000007
【図６】
2010183154.tif 000008
【図７】
2010183154.tif 000009
【図８】
2010183154.tif 000010
【図９】
2010183154.tif 000011
【図１０】
2010183154.tif 000012
【図１１】
2010183154.tif 000013
【図１２】
2010183154.tif 000014
【図１３】
2010183154.tif 000015
【図１４】
2010183154.tif 000016
【図１５】
2010183154.tif 000017